(57)【要約】【課題】他のユーザに電子レシートの内容を見られてしまうのを防ぐ。【解決手段】電子レシート情報を生成する決済端末２は、通信機器７から発信された所定の情報と電子レシート情報の中の一部の情報とから電子レシート情報の所在地に関する情報を生成する。そして、電子レシート情報と所在地に関する情報をサーバ６に送信するとともに、通信機器７に所在地に関する情報を送信する。サーバ６は、決済端末２から電子レシート情報と当該電子レシート情報の所在地に関する情報とを受信すると、所在地に関する情報から電子レシート所在地情報を復号し、復号された電子レシート所在地情報の所在地に電子レシート情報を不特定の通信機器７からネットワークを介して閲覧可能に公開する。【選択図】図１
2007148792.tif 000002
【特許請求の範囲】
【請求項１】
客買上データの決済を行う決済端末と、この決済端末とネットワークを介して通信可能に接続されるサーバとを具備し、
前記決済端末は、前記客買上データに基づいて電子レシート情報を生成する電子レシート生成手段と、不特定の通信機器と通信が可能な通信手段と、この通信手段を介して通信可能状態にある前記通信機器から発信された所定の情報と前記電子レシート生成手段により生成された電子レシート情報の中の一部の情報とから当該電子レシート情報の前記サーバにおける所在地に関する情報を生成する電子レシート所在地情報生成手段と、前記電子レシート生成手段により生成された電子レシート情報を前記電子レシート所在地情報生成手段により生成された当該電子レシート情報の前記サーバにおける所在地に関する情報とともに前記ネットワークを介して前記サーバに送信する対サーバ送信手段と、前記電子レシート所在地情報生成手段により生成された前記電子レシート情報の前記サーバにおける所在地に関する情報を前記所定の情報を発信した前記通信機器に前記通信手段を介して送信する対通信機器送信手段とを備え、
前記サーバは、前記決済端末から前記電子レシート情報と当該電子レシート情報の前記サーバにおける所在地に関する情報とを前記ネットワークを介して受信する対端末受信手段と、この対端末受信手段により受信した前記電子レシート情報の前記サーバにおける所在地に関する情報から電子レシート所在地情報を復号する電子レシート所在地情報復号手段と、前記対端末受信手段により受信した前記電子レシート情報を当該情報とともに受信した前記電子レシート情報の前記サーバにおける所在地に関する情報から復号された電子レシート所在地情報の所在地に前記不特定の通信機器からネットワークを介して閲覧可能に公開する電子レシート公開手段とを備えたことを特徴とする電子レシートシステム。
【請求項２】
ネットワークを介してサーバと通信可能に接続され、客買上データの決済を行う決済端末において、
前記客買上データに基づいて電子レシート情報を生成する電子レシート生成手段と、不特定の通信機器と通信が可能な通信手段と、この通信手段を介して通信可能状態にある前記通信機器から発信された所定の情報と前記電子レシート生成手段により生成された電子レシート情報の中の一部の情報とから当該電子レシート情報の前記サーバにおける所在地に関する情報を生成する電子レシート所在地情報生成手段と、前記電子レシート生成手段により生成された電子レシート情報を前記電子レシート所在地情報生成手段により生成された当該電子レシート情報の前記サーバにおける所在地に関する情報とともに前記ネットワークを介して前記サーバに送信する対サーバ送信手段と、前記電子レシート所在地情報生成手段により生成された前記電子レシート情報の前記サーバにおける所在地に関する情報を前記所定の情報を発信した前記通信機器に前記通信手段を介して送信する対通信機器送信手段とを具備したことを特徴とする決済端末。
【請求項３】
前記通信手段を介して通信可能状態にある通信機器から発信された所定の情報を受信してから前記対通信機器送信手段により前記電子レシート情報の前記サーバにおける所在地に関する情報を前記通信機器に送信するまでの間、前記通信機器との通信可能状態を維持させる旨のメッセージを報知するメッセージ報知手段をさらに具備したことを特徴とする請求項２記載の決済端末。
【請求項４】
客買上データの決済を行い、この客買上データに基づいて電子レシート情報を生成する決済端末とネットワークを介して通信可能に接続されるサーバにおいて、
前記決済端末から前記電子レシート情報と当該電子レシート情報のサーバにおける所在地に関する情報とを前記ネットワークを介して受信する対端末受信手段と、この対端末受信手段により受信した前記電子レシート情報のサーバにおける所在地に関する情報から電子レシート所在地情報を復号する電子レシート所在地情報復号手段と、前記対端末受信手段により受信した前記電子レシート情報を当該情報とともに受信した前記電子レシート情報のサーバにおける所在地に関する情報から復号された電子レシート所在地情報の所在地に不特定の通信機器からネットワークを介して閲覧可能に公開する電子レシート公開手段とを備えたことを特徴とするサーバ。
【請求項５】
ネットワークを介してサーバと通信可能に接続され、客買上データの決済を行うコンピュータを、
前記客買上データに基づいて電子レシート情報を生成する電子レシート生成手段と、通信手段を介して通信可能状態にある通信機器から発信された所定の情報と前記電子レシート生成手段により生成された電子レシート情報の中の一部の情報とから当該電子レシートの前記サーバにおける所在地に関する情報を生成する電子レシート所在地情報生成手段と、前記電子レシート生成手段により生成された電子レシート情報を前記電子レシート所在地情報生成手段により生成された当該電子レシート情報の前記サーバにおける所在地に関する情報とともに前記ネットワークを介して前記サーバに送信する対サーバ送信手段と、前記電子レシート所在地情報生成手段により生成された前記電子レシート情報の前記サーバにおける所在地に関する情報を前記所定の情報を発信した前記通信機器に前記通信手段を介して送信する対通信機器送信手段として機能させることを特徴とする電子レシート処理プログラム。
【請求項６】
前記コンピュータを、
前記通信手段を介して通信可能状態にある通信機器から発信された所定の情報を受信してから前記対通信機器送信手段により前記電子レシート情報の前記サーバにおける所在地に関する情報を前記通信機器に送信するまでの間、前記通信機器との通信可能状態を維持させる旨のメッセージを報知するメッセージ報知手段としてさらに機能させることを特徴とする請求項５記載の電子レシート処理プログラム。
【請求項７】
客買上データの決済を行い、この客買上データに基づいて電子レシート情報を生成する決済端末とネットワークを介して通信可能に接続されるサーバを、
前記決済端末から前記電子レシート情報と当該電子レシート情報のサーバにおける所在地に関する情報とを前記ネットワークを介して受信する対端末受信手段と、この対端末受信手段により受信した前記電子レシート情報のサーバにおける所在地に関する情報から電子レシート所在地情報を復号する電子レシート所在地情報復号手段と、前記対端末受信手段により受信した前記電子レシート情報を当該情報とともに受信した前記電子レシート情報のサーバにおける所在地に関する情報から復号された電子レシート所在地情報の所在地に不特定の通信機器からネットワークを介して閲覧可能に公開する電子レシート公開手段として機能させることを特徴とする電子レシート管理プログラム。
【発明の詳細な説明】
【技術分野】
【０００１】
本発明は、客買上データを基に生成されるレシートの情報を電子データ化して客に提供する電子レシート技術に関する。
【背景技術】
【０００２】
近年、赤外線無線，Ｂｌｕｅｔｏｏｔｈ（登録商標），非接触ＩＣカード等の近距離無線通信インターフェイスが携帯電話に搭載されるようになったので、これを応用し、携帯電話とＰＯＳ（Point Of Sales）端末等と称される決済端末との間で無線通信を行うことにより商取引の代金を電子的に決済する電子決済のアプリケーションソフトウェアが開発され、実用に供されている。ただし、商取引の明細を示すレシート（領収書）は、ＰＯＳ端末のプリンタによって紙媒体に印刷されて発行され、客に手渡されているのが実情である。
【０００３】
そこで、決済端末においてレシートの情報を電子データ化し、この電子データ化されたレシート情報を携帯端末やパソコン等を利用して客が取得可能とすることによって、レシートの受け渡しを完了させる電子レシートシステムが提案されている。その一例としては、決済端末にて生成された電子レシート情報を、ネットワークを介して接続されたサーバのデータベースに蓄積するとともに、この電子レシート情報を検索するためのキーとなる情報を、決済端末から客の携帯電話に近距離無線通信を利用して送信し、客はその携帯端末またはパソコンからこのキーとなる情報を使ってサーバのデータベースにアクセスし所望の電子レシート情報をダウンロードするようにしたものがある（例えば、特許文献１参照）。
【０００４】
このように、レシート情報を電子データ化することによって、レシート用紙の節約を図れる上、レシートを手渡す作業を簡略化できる等、店側にとって大変有益である。また、客側にとっても、例えば家計簿を電子的に処理できるようになるので好都合である。そこで今後、電子レシートシステムの導入が進められるものと見込まれる。
【特許文献１】特開２００３-０７７０６４号公報
【発明の開示】
【発明が解決しようとする課題】
【０００５】
しかしながら、従来の電子レシートシステムにおいては、電子レシート情報を検索するためのキーとして、会社コード，店コード，ターミナル番号，取引番号，取引日付等が用いられていた。これらの情報は、例えば同じ決済端末のチェックアウトレーンで次の順番に並んだ買物客であれば容易に取得または推定できる情報である。このため、悪意のある買物客に電子レシートの内容を見られてしまい、プライバシーを侵害されるおそれがあった。
【０００６】
本発明はこのような事情に基づいてなされたもので、その目的とするところは、他のユーザに電子レシートの内容を見られてしまうことのない電子レシートシステムを提供しようとするものである。
【課題を解決するための手段】
【０００７】
本発明に係る電子レシートシステムは、客買上データの決済を行う決済端末と、この決済端末とネットワークを介して通信可能に接続されるサーバとを備える。  
決済端末には、客買上データに基づいて電子レシート情報を生成する電子レシート生成手段と、不特定の通信機器と通信が可能な通信手段と、通信可能状態にある通信機器から発信された所定の情報と電子レシート生成手段により生成された電子レシート情報の中の一部の情報とから当該電子レシート情報のサーバにおける所在地に関する情報を生成する電子レシート所在地情報生成手段と、電子レシート情報を当該電子レシート情報のサーバにおける所在地に関する情報とともにネットワークを介してサーバに送信する対サーバ送信手段と、電子レシート情報のサーバにおける所在地に関する情報を所定の情報を発信した通信機器に通信手段を介して送信する対通信機器送信手段とを設ける。  
サーバには、決済端末から電子レシート情報と当該電子レシート情報のサーバにおける所在地に関する情報とをネットワークを介して受信する対端末受信手段と、受信した電子レシート情報のサーバにおける所在地に関する情報から電子レシート所在地情報を復号する電子レシート所在地情報復号手段と、受信した電子レシート情報を当該情報とともに受信した電子レシート情報のサーバにおける所在地に関する情報から復号された電子レシート所在地情報の所在地に不特定の通信機器からネットワークを介して閲覧可能に公開する電子レシート公開手段とを設ける。
【発明の効果】
【０００８】
かかる手段を講じた本発明によれば、他のユーザに電子レシートの内容を見られてしまうことがなく、プライバシーの保護を図り得る電子レシートシステムを提供することができる。
【発明を実施するための最良の形態】
【０００９】
以下、本発明を実施するための最良の形態について、図面を用いて説明する。  
なお、この実施の形態は、近距離無線通信インターフェイスとして非接触ＩＣカードを実装してなる携帯電話のユーザとの間で、電子決済並びに電子レシートの受け渡しを可能にした電子レシートシステムに本発明を適用した場合である。
【００１０】
図１は本実施の形態における電子レシートシステムの全体構成図である。同図において、符号１は店舗を示しており、店舗１には、決済端末としての複数台のＰＯＳ端末２と、ルータ３とが設置されている。各ＰＯＳ端末２とルータ３とは、店舗内ＬＡＮ（Local Area Network）４によって接続されている。ルータ３は、店舗内ＬＡＮ４と公衆通信網であるインターネット５とを接続するための機器である。インターネット５には、Ｗｅｂサーバとして動作する電子レシートサーバ６が接続されている。また、Ｗｅｂブラウザを実装してなる携帯電話７と無線通信を行う基地局８も接続されている。
【００１１】
かかる構成の電子レシートシステムにおいては、店舗１の各ＰＯＳ端末２でそれぞれ生成された電子レシート情報が、インターネット５を介して電子レシートサーバ６に伝送され、Ｗｅｂ上に公開される。したがって、Ｗｅｂブラウザを実装してなる携帯電話７等の不特定の通信端末でＵＲＬ（Uniform Resource Locator）を指定することにより、Ｗｅｂ上に公開された電子レシート情報を通信端末にダウンロードし、Ｗｅｂブラウザで閲覧することができる。ただし本実施の形態では、電子レシート情報が公開されているＵＲＬを符号化し、かつ、そのレシート情報の買上データに相当する買い物を行った客のみに符号化されたＵＲＬを通知することによって、セキュリティ性を高めている。  
以下、この点を含み、本実施の形態の電子レシートシステムを構築する各部の構成について詳細に説明する。
【００１２】
初めに、携帯電話７の要部構成を、図２のブロック図を用いて説明する。携帯電話７は、制御部本体を構成するＣＰＵ１１、データを一時的に記憶しておくための一時メモリ１２、ＣＰＵ１１からの命令で読み書きが可能であり、プログラムやデータ等が記録される記録部１３、インターネット５を含む公衆網に接続される公衆網接続インターフェイス１４、非接触ＩＣカードを用いた近距離無線通信を行う非接触ＩＣカードインターフェイス１５、上記非接触ＩＣカードインターフェイス１５を介して送受する情報を格納するための非接触ＩＣカードメモリ１６、各種情報を表示可能な表示部１７及び携帯電話を操作するための入力部１８等で構成されている。
【００１３】
記録部１３には、Ｗｅｂ上に公開されている各種情報（コンテンツ）を閲覧するためのＷｅｂブラウザの他、電子決済を行うための電子決済対応プログラムＰ１と、電子決済後に生成される電子レシートを受け取るための電子レシート対応プログラムＰ２とが予めインストールされている。
【００１４】
次に、ＰＯＳ端末２の要部構成を、図３のブロック図を用いて説明する。ＰＯＳ端末２は、制御部本体を構成するＣＰＵ２１、データを一時的に記憶しておくための一時メモリ２２、ＣＰＵ２１からの命令で読み書きが可能であり、プログラムやデータ等が記録される記録部２３、店舗内ＬＡＮ４に接続されるネットワークインターフェイス２４、プリンタが着脱自在に接続されるプリンタインターフェイス２５、非接触ＩＣカードを用いた近距離無線通信を行う通信手段である非接触ＩＣカードインターフェイス２６、上記非接触ＩＣカードインターフェイス２６を介して送受する情報を格納するための非接触ＩＣカードメモリ２７、オペレータに対して各種情報を表示するためのオペレータ用表示部２８、客に対して種々の情報を表示するための客用表示部２９、ＰＯＳ端末２を操作するための入力部３０等で構成されている。
【００１５】
記録部２３には、各種のＰＯＳ業務を実行するためのソフトウェアの他、電子決済を処理するための電子決済処理プログラムＰ３と、電子レシートを処理するための電子レシート処理プログラムＰ４とが予めインストールされている。
【００１６】
次に、電子レシートサーバ６の要部構成を、図４のブロック図を用いて説明する。電子レシートサーバ６は、制御部本体を構成するＣＰＵ３１、データを一時的に記憶しておくための一時メモリ３２、ＣＰＵ３１からの命令で読み書きが可能であり、プログラムやデータ等が記録される記録部３３、インターネット５に接続されるネットワークインターフェイス３４等で構成されている。
【００１７】
記録部３３には、電子レシート情報をＷｅｂ上で公開するための領域として電子レシート保管領域３５が確保されている。また、各ＰＯＳ端末２から受け取った電子レシート情報を上記電子レシート保管領域３５で保管するための電子レシート管理プログラムＰ５が予めインストールされている。
【００１８】
さて、携帯電話７にインストールされている電子決済対応プログラムＰ１の要部処理手順を図５の流れ図に、電子レシート対応プログラムＰ２の要部処理手順を図６の流れ図にそれぞれ示す。また、ＰＯＳ端末２にインストールされている電子決済処理プログラムＰ３の要部処理手順を図７の流れ図に、電子レシート処理プログラムＰ４の要部処理手順を図８の流れ図にそれぞれ示す。また、電子レシートサーバ６にインストールされている電子レシート管理プログラムＰ５の要部処理手順を図９の流れ図に示す。  
以下、図５〜図９の流れ図を用いて、電子決済が行われた商取引に対して生成された電子レシートを商取引相手である客が取得するまでの流れについて具体的に説明する。
【００１９】
先ず、電子決済を希望する客は、自己が所有する携帯電話７の入力部１８を操作して電子決済対応プログラムＰ１を起動する。そうすると、この携帯電話７のＣＰＵ１１は、電子決済が成立した商取引に対する電子レシート情報の電子レシートサーバ６における所在地に関する情報を生成するために必要な所定の情報として、当該携帯電話７の所有者と電子レシートサービス提供者以外の者が知り得ないパスワードを生成する。そして、このパスワードを電子決済成立前に非接触ＩＣカードメモリ１６に保存する（図５，ＳＴ１）。ここで、パスワードとしては、例えば、ＣＰＵ１１がワンタイムパスワードとなる乱数を計算し、非接触ＩＣカードメモリ１６に記憶させると、パスワードが毎回変わるので都合がよい。
【００２０】
次に、上記客は、自身が買い上げる商品の販売データがＰＯＳ端末２に登録処理され、その代金の支払いがキャッシャから要求されたならば、上記携帯電話７の非接触ＩＣカードインターフェイス１５を当該ＰＯＳ端末２の非接触ＩＣカードインターフェイス２６に近づける。ここで、上記電子決済対応プログラムが起動した携帯電話７のＣＰＵ１１は、パスワードを保存後、非接触ＩＣカードインターフェイス２６を搭載してなるＰＯＳ端末２との通信接続を監視している（図５，ＳＴ２）。そして、携帯電話７がＰＯＳ端末２に近付けられ、非接触ＩＣカードインターフェイス２６との通信接続を確認したならば、ＣＰＵ１１は、非接触ＩＣカードインターフェイス１５を介してＰＯＳ端末２に電子決済要求コマンドを送信する（図５，ＳＴ３）。
【００２１】
ＰＯＳ端末２においては、電子決済処理プログラムＰ３が常駐している。これによりＣＰＵ２１は、非接触ＩＣカードインターフェイス２６を介して通信接続された通信機器（この場合は携帯電話７）から電子決済要求コマンドを受信すると（図７,ＳＴ３１）、商取引の電子決済が可能な状態にあるか否かを判断する（図７，ＳＴ３２）。例えば、１商取引として売り上げる客買上データの登録途中であり、締め操作が行われていない状態では電子決済が不可能なので、電子決済要求コマンドを無視する。
【００２２】
これに対し、１商取引として売り上げる客買上データに対して入力部３０に配置されている締めキーにより締め操作が行われている状態では電子決済が可能なので、ＣＰＵ２１は、非接触ＩＣカードインターフェイス２６を介して通信機器に電子決済許諾応答信号を送信する（図７，ＳＴ３３）。
【００２３】
携帯電話７のＣＰＵ１１は、ＰＯＳ端末２からの許諾応答信号があるか否かを監視し手いる。そして、許諾応答があると（図５のＳＴ４）、携帯電話７のＣＰＵ１１とＰＯＳ端末２のＣＰＵ２１との間で、非接触ＩＣカードインターフェイス１５，２６を介して客買上データの電子決済処理が実行される（図５，ＳＴ５／図７，ＳＴ３４）。なお、この電子決済処理としては、電子マネーのようなストアドフェア型の処理でもよいし、クレジットカードのようなポストペイド型の処理でもよい。
【００２４】
電子決済処理が終了すると（図５，ＳＴ６／図７，ＳＴ３５）、ＰＯＳ端末２のＣＰＵ２１は、電子決済相手であった通信機器が本発明に係る電子レシート対応のものか否かを判断する（図７，ＳＴ３６）。ここで、例えば本実施の形態の電子決済対応プログラムＰ１がインストールされた携帯電話７との間で行われた電子決済の場合には、ＣＰＵ２１は、電子レシート対応であると判断する。これに対し、他の電子決済対応プログラムがインストールされた通信機器との間で行われた電子決済の場合には、電子レシート非対応と判断する。
【００２５】
電子レシート対応と判断した場合には、ＣＰＵ２１は、電子レシート処理プログラムＰ４を起動する（図７，ＳＴ３７）。電子レシート非対応と判断した場合には、電子レシート処理プログラムＰ４を起動しない。なお、電子レシート非対応と判断した場合には、ＣＰＵ２１は、プリンタインターフェイス２５に接続されたプリンタを駆動してレシート情報を紙媒体に印刷出力するように構成するとよい。
【００２６】
電子レシート処理プログラムＰ４が起動すると、ＰＯＳ端末２のＣＰＵ２１は、通信機器との通信可能状態を維持させる旨のメッセージとして例えば「携帯を離さないでください」を客用表示部２９に表示させる（図８，ＳＴ４１：メッセージ報知手段）。
【００２７】
一方、電子決済処理を終了した携帯電話７のＣＰＵ１１は、非接触ＩＣカードインターフェイス２６を介して非接触ＩＣカードメモリ２７に記憶されたパスワードの送信動作を開始する（図５，ＳＴ７）。そこで、電子レシート処理プログラムＰ４が起動したＰＯＳ端末２のＣＰＵ２１は、非接触ＩＣカードインターフェイス２６を介してパスワードを受信する（図８，ＳＴ４２）。そして、電子レシート対応の通信機器（この場合は携帯電話７）からパスワードを受信したならば、ＣＰＵ２１は、直前に電子決済として処理された客買上データに基づき電子レシート情報と簡易決済情報とを生成する（図８，ＳＴ４３：電子レシート生成手段）。なお、電子レシート情報とは、店名，店舗の連絡先，購入した商品の名称，単価，数量，買物額の総計，買物客が支払った金額，お釣り，買物が行われた日時，キャッシャの氏名（またはＩＤ），取引の通し番号等、既存のレシートに印刷される情報であり、これらの情報を全て含んでもよいし、その一部を選択したものであってもよい。一方、簡易決済情報とは、店名，買物が行われた日時，買物額の総計等、買物の概要がわかる情報である。因みに、電子レシート情報は、ＸＭＬ言語で記述されることが望ましい。
【００２８】
またＣＰＵ２１は、受信したパスワードと、生成した電子レシート情報に含まれる店舗名，買物が行われた日時，取引の通し番号等のどの買物かを一意に判別できる情報とからハッシュ値を計算する。そして、このハッシュ値を、当該電子レシート情報の電子レシートサーバ６における所在地に関する情報を示す電子レシートダウンロード識別情報とする（図８，ＳＴ４４：電子レシート所在地情報生成手段）。
【００２９】
その後、ＣＰＵ２１は、ＳＴ４４の処理で生成した電子レシートダウンロード識別情報と、ＳＴ４３の処理で生成した電子レシート情報とを、ルータ３経由でインターネット５上の電子レシートサーバ６に送信する（図８，ＳＴ４５：対サーバ送信手段）。また、ＳＴ４４の処理で生成した電子レシートダウンロード識別情報と、ＳＴ４３の処理で生成した簡易決済情報とを非接触ＩＣカードメモリ２７に書込み、非接触ＩＣカードインターフェイス２６を介して通信機器へ送信可能とする（図８，ＳＴ４６：対通信機器送信手段）。そして、この非接触ＩＣカードメモリ２７に書込まれた電子レシートダウンロード識別情報と簡易決済情報とが通信端末（この場合は携帯電話７）に送信されたならば（図８，ＳＴ４７）、ＣＰＵ２１は、客用表示部２９からメッセージを消去して（図８，ＳＴ４８：メッセージ報知手段）、この電子レシート処理プログラムを終了する。
【００３０】
電子レシートサーバ６においては、電子レシート管理プログラムが常駐している。これによりＣＰＵ３１は、インターネット５を介してＰＯＳ端末２から電子レシート情報と電子レシートダウンロード識別情報とを受信すると（図９，ＳＴ５１：対端末受信手段）、受信した電子レシートダウンロード識別情報を基に電子レシート情報を公開するＵＲＬ（Uniform Resource Locator）を復号する（図９，ＳＴ５２：電子レシート所在地情報復号手段）。この復号は、例えば予め電子レシートサーバ６が電子レシート情報を公開するディレクトリを保管領域３５として決めておき、電子レシートダウンロード識別情報であるハッシュ値の１６進数表記を電子レシート情報のファイル名としてそのディレクトリ上に置くことで行われる。しかる後、ＣＰＵ３１は、上記電子レシートダウンロード識別情報とともに受信した電子レシート情報を保管領域３５に保管し、不特定の通信機器からインターネット５を介して閲覧可能となるように復号したＵＲＬ上で公開する（図９，ＳＴ５３：電子レシート公開手段）
一方、携帯電話７のＣＰＵ１１は、非接触ＩＣカードメモリ１６で記憶していたパスワードをＰＯＳ端末２に送信した後、このＰＯＳ端末２から電子レシートダウンロード識別情報と簡易決済情報とを受信するのを待機している。そして、非接触ＩＣカードインターフェイス１５を介して電子レシートダウンロード識別情報と簡易決済情報とを受信したならば（図５，ＳＴ８）、ＣＰＵ１１は、この電子レシートダウンロード識別情報と簡易決済情報とを関連付けて非接触ＩＣカードメモリ１６で記憶する（図５，ＳＴ９）。しかる後、電子レシート対応プログラムＰ２を起動する（図５，ＳＴ１０）。
【００３１】
なお、電子レシート対応プログラムＰ２は、非接触ＩＣカードメモリ１６に電子レシートダウンロード識別情報と簡易決済情報とが書き込まれたことを携帯電話７のＣＰＵ１１が認識して自動的に起動されるだけでなく、入力部１８のプログラム起動操作によりユーザが任意のタイミングで起動させることも可能である。すなわち、電子決済終了直後に電子レシートをダウンロードするか否かを決定せず、複数取引の決済を終えた後にまとめて取引毎に電子レシートをダウンロードするか否かを決めることも可能としている。
【００３２】
さて、電子レシート対応プログラムＰ２が起動すると、ＣＰＵ１１は、非接触ＩＣカードメモリ１６に簡易決済情報が記憶されているか否かを判断する（図６，ＳＴ１１）。そして、簡易決済情報が少なくとも１つ記憶されていた場合には、ＣＰＵ１１は、この簡易決済情報を表示部１７に表示させる（図６，ＳＴ１２）。なお、複数の簡易決済情報が記憶されていた場合には、所定の定義、例えば最も古くに記憶された簡易決済情報を選択し、表示部１７に表示させる。
【００３３】
簡易決済情報の一表示例を図１０に示す。図示するように、簡易決済情報の画面には、店名，買物が行われた日時，買物額の総計等、買物の概要がわかる情報のほかに、電子レシートのダウンロードを実行するか（［はい］）、実行しないか（［いいえ］）を選択するためのボタンが表示されている。ここで、ダウンロードを実行しない旨が選択された場合には（図６，ＳＴ１４）、ＣＰＵ１１は、表示部１７に表示した簡易決済情報とそれに関連付けされて記憶されている電子レシートダウンロード識別情報とを、非接触ＩＣカードメモリ１６から消去する（図６，ＳＴ２３）。しかる後、非接触ＩＣカードメモリ１６に別の簡易決済情報が記憶されているか否かを判断する（図６，ＳＴ１１）。ここで、記憶されていない場合には、この電子レシート対応プログラムＰ２を終了する。
【００３４】
これに対し、ダウンロードを実行する旨が選択された場合には（図６，ＳＴ１４）、ＣＰＵ１１は、先ず、表示部１７に表示した簡易決済情報と関連付けされて記憶されている電子レシートダウンロード識別情報を基に電子レシートサーバ６にアップロードされた電子レシート情報のＵＲＬを復号化する（図６，ＳＴ１５）。この復号の方法は、電子レシートサーバ６がＵＲＬを復号したのと同じルールで行う。すなわち、電子レシート対応プログラムＰ２は、電子レシートサーバ６が電子レシート情報を公開するための保管領域３５であるディレクトリのＵＲＬを予め知っており、その上で、電子レシートダウンロード識別情報であるハッシュ値の１６進数表記をファイル名として復号する。
【００３５】
次にＣＰＵ１１は、公衆網接続インターフェイス１４を介して復号されたＵＲＬにアクセスし、そのＵＲＬで指定される領域にてダウンロード可能となっている電子レシート情報を一時メモリ１２にダウンロードする（図６，ＳＴ１６）。そしてダウンロード完了後、ＣＰＵ１１は、一時メモリ１２に格納された電子レシート情報を解析し、人間の読みやすい形に再構成した上で表示部１７にその内容を表示させる（図６，ＳＴ１７）。
【００３６】
電子レシート情報の一表示例を図１１に示す。図１１の例では、電子レシート情報として、店名「○○ストア○○店」、取引日時「２００５年１１月２５日１７：００」、レジ番号「レジＮｏ．００１２」、キャッシャ名「担当○○」、商品名「洗剤１．０Ｋｇ」、金額「２５８」、小計「６５４」、消費税計「３１」、総計「６８５円」、取扱番号「２３４５」等が表示されている。
【００３７】
ここで、入力部１８を介して電子レシート情報の確認操作がなされると（図６，ＳＴ１８）、ＣＰＵ１１は、図１２に一例を示す電子レシートの保存確認画面を表示部１７に表示させる（図６，ＳＴ１９）。この状態で、入力部１８を介して電子レシートを保存する旨が選択操作された場合には（図６，ＳＴ２０）、一時メモリ１２に記憶していた電子レシート情報を記録部１３に転送して記録する（図６，ＳＴ２１）。その後、一時メモリ１２から電子レシート情報を消去する（図６，ＳＴ２２）。これに対し、電子レシートを保存しない旨が選択された場合には（図６，ＳＴ２０）、電子レシート情報を記録部１３に転送することなく一時メモリ１２から電子レシート情報を消去する（図６，ＳＴ２２）。
【００３８】
その後、ＳＴ１２の処理で表示部１７に表示した簡易決済情報とそれに関連付けされて記憶されている電子レシートダウンロード識別情報とを、非接触ＩＣカードメモリ１６から消去する（図６，ＳＴ２３）。しかる後、非接触ＩＣカードメモリ１６に別の簡易決済情報が記憶されているか否かを判断する（図６，ＳＴ１１）。ここで、記憶されていない場合には、この電子レシート対応プログラムＰ２を終了する。
【００３９】
これに対し、別の簡易決済情報が記憶されている場合には、簡易決済情報を表示部１７に表示させる（図６，ＳＴ１２）。ここで、入力部１８の操作によりダウンロードの実行または非実行が選択された場合には、上記と同様の処理を実行する。また、電子レシート対応プログラムの終了が指示された場合には（図６，ＳＴ１３）、この電子レシート対応プログラムを終了する。
【００４０】
このように本実施の形態においては、ＰＯＳ端末２は、電子レシートを生成する際に、携帯電話７から取得したパスワードと生成した電子レシート情報に含まれる店舗名，買物が行われた日時，取引の通し番号等のどの買物かを一意に判別できる情報とから、当該電子レシート情報の電子レシートサーバ６における所在地に関する情報を示す電子レシートダウンロード識別情報を生成する。そして、この電子レシート情報と電子レシートダウンロード識別情報とを電子レシートサーバ６に送信するとともに、電子レシートダウンロード識別情報を簡易決済情報とともに携帯電話７に送信している。
【００４１】
また、電子レシートサーバ６は、ＰＯＳ端末２から電子レシート情報と電子レシートダウンロード識別情報とを受信する毎に、その受信した電子レシートダウンロード識別情報を基に電子レシート情報を公開するＵＲＬを復号する。そして、このＵＲＬ上で公開可能となるように、受信した電子レシート情報を保管するものとなっている。
【００４２】
一方、電子レシートダウンロード識別情報と簡易決済情報を受信した携帯電話７においては、簡易決済情報の内容を確認したユーザから電子レシートのダウンロードが指令されると、電子レシートダウンロード識別情報を基にＵＲＬが復号される。そして、このＵＲＬ上で公開されている電子レシート情報がインターネット５を介してダウンロードされる。
【００４３】
したがって、Ｗｅｂ上で公開されている電子レシート情報を取得できるのは、その電子レシート情報のＷｅｂ上におけるアドレスであるＵＲＬを符号化した電子レシートダウンロード識別情報を取得している携帯電話７に限られるので、他のユーザに電子レシートの内容を見られてしまうことがない。このように、プライバシーの保護を確実に図ることができるので、電子レシートシステムを導入する上で、大変有意義なものとなる。
【００４４】
ところで、図７中ＳＴ３５の電子決済を終了した時点から、図８中ＳＴ４７の電子レシートダウンロード識別情報が携帯電話７にダウンロードされるまでの間、ＰＯＳ端末２では電子レシート情報の生成や電子レシートダウンロード識別情報の生成を行っているので数秒の時間がかかることが考えられるが、その間、携帯電話７とＰＯＳ端末２とは通信状態を維持する必要がある。そこで本実施の形態では、その間、客用表示部２９に通信機器との通信可能状態を維持させる旨のメッセージを表示させて、客に注意を喚起している。したがって、電子レシートダウンロード識別情報がダウンロードされる前に携帯電話７をＰＯＳ端末２から離してしまうミスを未然に防ぐことができる。
【００４５】
なお、この発明は前記実施形態そのままに限定されるものではなく、実施段階ではその要旨を逸脱しない範囲で構成要素を変形して具体化できる。
【００４６】
例えば前記実施の形態では、客用表示部２９に通信機器との通信可能状態を維持させる旨のメッセージを表示させたが、非接触ＩＣカードインターフェイス２６を介して同様のメッセージデータを携帯電話７に送信することによって、携帯電話７の表示部１７に同様のメッセージを表示させるようにしてもよい。あるいは、ＰＯＳ端末２若しくは携帯電話７が備えるスピーカから同様なメッセージを音声出力することによって、携帯電話７のユーザに注意を喚起することも可能である。
【００４７】
また、前記実施の形態では、携帯電話７で乱数を基にワンタイムパスワードとなるパスワードを生成したが、携帯電話７から提供されるパスワードは固定とし、ＰＯＳ端末２側で乱数を発生させて携帯電話７から取り込んだパスワードを変更するようにしてもよい。このようにしても、他の携帯電話に電子レシート情報を読取られてしまうリスクを減らすことができる。
【００４８】
また、前記実施の形態では、ＰＯＳ端末２における電子レシート処理プログラムＰ４の起動を電子決済処理プログラムＰ３のＳＴ３６の処理で、通信状態にある携帯端末が電子レシート対応であるとき自動的に起動するようにしたが、電子決済処理とは無関係に決済処理終了後、入力部３０のプログラム起動操作により電子レシート処理プログラムＰ４が起動するようにしてもよい。こうすることにより、電子決済で処理された商取引以外でもレシート情報を電子化して客に提供できるようになる。
【００４９】
また、ユーザが使用する通信端末は携帯電話７に限定されるものではなく、ＰＤＡ，ノート型パソコン等のモバイル機器であってもよい。また、ＰＯＳ端末２と通信端末との近距離無線通信方式も非接触ＩＣカード方式に限定されるものではなく、例えば赤外線無線やＢｌｕｅｔｏｏｔｈ（登録商標）等であってもよい。
【００５０】
また、本実施の形態では装置内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と協働してその機能を実現させるものであってもよい。
【００５１】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００５２】
【図１】本発明の一実施の形態である電子レシートシステムの全体構成を示す模式図。
【図２】同実施の形態で使用する携帯電話の要部構成を示すブロック図。
【図３】同実施の形態で使用するＰＯＳ端末の要部構成を示すブロック図。
【図４】同実施の形態で使用する電子レシートサーバの要部構成を示すブロック図。
【図５】同実施の形態において携帯電話にインストールされる電子決済対応プログラムの要部処理手順を示す流れ図。
【図６】同実施の形態において携帯電話にインストールされる電子レシート対応プログラムの要部処理手順を示す流れ図。
【図７】同実施の形態においてＰＯＳ端末にインストールされる電子決済処理プログラムの要部処理手順を示す流れ図。
【図８】同実施の形態においてＰＯＳ端末にインストールされる電子レシート処理プログラムの要部処理手順を示す流れ図。
【図９】同実施の形態において電子レシートサーバにインストールされる電子レシート管理プログラムの要部処理手順を示す流れ図。
【図１０】同実施の形態において携帯電話の表示部に表示される電子レシートダウンロード確認画面の一例を示す図。
【図１１】同実施の形態において携帯電話の表示部に表示される電子レシート情報画面の一例を示す図。
【図１２】同実施の形態において携帯電話の表示部に表示される電子レシート保存確認画面の一例を示す図。
【符号の説明】
【００５３】
２…ＰＯＳ端末、３…ルータ、５…インターネット、６…電子レシートサーバ、７…携帯電話、１１，２１，３１…ＣＰＵ、１５，２６…非接触ＩＣカードインターフェイス（通信手段）、１６，２７…非接触ＩＣカードメモリ、３５…電子レシート保管領域、Ｐ１…電子決済対応プログラム、Ｐ２…電子レシート対応プログラム、Ｐ３…電子決済処理プログラム、Ｐ４…電子レシート処理プログラム、Ｐ５…電子レシート管理プログラム、ＳＴ４３…電子レシート生成手段、ＳＴ４４…電子レシート所在地情報生成手段、ＳＴ４５…対サーバ送信手段、ＳＴ４６…対通信機器送信手段、ＳＴ５１…対端末受信手段、ＳＴ５２…電子レシート所在地情報復号手段、ＳＴ５３…電子レシート公開手段。
【図１】
2007148792.tif 000003
【図２】
2007148792.tif 000004
【図３】
2007148792.tif 000005
【図４】
2007148792.tif 000006
【図５】
2007148792.tif 000007
【図６】
2007148792.tif 000008
【図７】
2007148792.tif 000009
【図８】
2007148792.tif 000010
【図９】
2007148792.tif 000011
【図１０】
2007148792.tif 000012
【図１１】
2007148792.tif 000013
【図１２】
2007148792.tif 000014